(57)【要約】【課題】  メダルの偽投入を防止することができるメダル投入検出装置を提供することを目的する。【解決手段】  メダル投入検出装置１は、発光部３ａと受光部３ｂの組で構成されるセンサ３と、発光部５ａと受光部５ｂの組で構成されるセンサ５を備えている。発光部は駆動部１３Ａ、１３Ｂにより出力変化するように駆動される。光遮断検出部１５Ａ、１５Ｂは、受光部の出力信号Ｓ１Ａ、Ｓ１Ｂにより光遮断、または光非遮断の信号を判定部２１に出力し、判定部においてメダルの通過に相当する所定の光遮断時間かどうかを判定する。出力信号Ｓ１Ａと出力信号Ｓ０Ａは信号比較部１７Ａに、同様に出力信号Ｓ１Ｂと出力信号Ｓ０Ｂは信号比較部１７Ｂに入力され、両方の信号波形が比較される。ゲート２３は、判定部から出力を受けたときに信号比較部から波形の一致の信号を得たとき、メダル投入信号を出力する。【選択図】    図１
2006271873.tif 000002
【特許請求の範囲】
【請求項１】
メダルが滑動または落下し得る通路と、該通路に設けられる前記メダル検出用の発光部と受光部を有するセンサを備えたメダル投入検出装置において、
前記発光部に出力信号を入力してその発光出力を変動させる駆動部と、
前記受光部からの出力信号と前記駆動部からの出力信号の波形を比較して波形が一致しているかどうかを検出する信号比較部と、
前記信号比較部からの波形の一致、不一致の信号にもとづいて前記メダルの投入を判定する判定手段とを備えることを特徴とするメダル投入検出装置。
【請求項２】
前記判定手段は、前記信号比較部からの波形の一致、不一致の信号に加えて、前記発光部が発した光の遮断による前記受光部からの出力信号の変化とにもとづいて前記メダルの投入を判定することを特徴とする請求項１記載のメダル投入検出装置。
【請求項３】
前記センサは、第１のセンサと第２のセンサとからなり、
前記駆動部は、前記第１および第２のセンサそれぞれの発光部に対して異なる出力信号を個別に出力して駆動する第１の駆動部と第２の駆動部とからなり、
前記信号比較部は、前記第１のセンサおよび第２のセンサの対応する受光部からの出力信号と前記対応する第１および第２の駆動部からの出力信号とを比較することを特徴とする請求項１または２に記載のメダル投入検出装置。
【発明の詳細な説明】
【技術分野】
【０００１】
本発明はたとえばスロットマシン、ゲーム機などの遊技機の遊技を開始する際に投入するメダルを検知する遊技機用のメダル投入検出装置に関し、特にメダルの偽投入を防止することができるメダル投入検出装置に関する。
【背景技術】
【０００２】
スロットマシンなどの遊技機では、メダル（コイン、硬貨などを含む）などの投入により遊技を開始することができるようになっている。このような遊技機では、メダルを完全には投入しないでメダルに紐などを付けておき、センサ部をメダルが通過したところでそのメダルを引き戻したり、メダルに擬したセル板を用いてセンサ部を通過させたりすることにより、あたかもセンサ部をメダルが通過したようにしてゲームを始める不正な使用が見受けられる。
【０００３】
このような不正を排除するメダル投入の検出方法が、たとえば特許文献１に開示されている。その文献に開示されているメダルの検出方法は、メダルの直径より狭い間隔で第１のセンサと第２のセンサが２つ並列して設けられ、第１のセンサによりメダルを検出したときに第２のセンサがメダルを検出してないことを確認し、その後第１のセンサがメダルを検出しなくなったときに第２のセンサがメダルを検出していることを確認することにより出力をする。すなわち、２つのセンサのメダルの通過を検出する時間の後先によりメダルが逆方向に進む異常（一度通過したメダルを紐などにより引き戻すこと）を検出するものである。
【０００４】
このようなメダルの通過の検出は、メダルが通過（落下）する通路の対向する側壁に発光部と受光部の対になったセンサが設けられ、メダルが通過するときはメダルにより光が遮断されることを検出することで行われている。なお、このセンサは第１のセンサと第２のセンサがメダルの通路の上下（または左右）の一端側に偏らないように、両端に分けて設けられている。
【特許文献１】特開平１１−２０３５４１号公報
【発明の開示】
【発明が解決しようとする課題】
【０００５】
しかし、このような構造のメダル投入検出装置でも、第１のセンサと第２のセンサの位置に対応した対になったＬＥＤを遮光板に取り付けて、センサ位置に挿入し、実際のメダルのセンサ通過の速度に合わせてそれぞれのＬＥＤの発光を点滅制御して、第１のセンサと第２のセンサの受光部にメダルが実際に通過した場合と同じ信号を発生させることにより不正を行った場合、不正を検知できないという問題がある。
本発明は、このような問題を解決するメダル投入検出装置を提供することを目的する。
【課題を解決するための手段】
【０００６】
このため、本発明は、メダルが滑動または落下し得る通路と、通路に設けられるメダル検出用の発光部と受光部を有するセンサを備えたメダル投入検出装置において、発光部に出力信号を入力してその発光出力を変動させる駆動部と、受光部からの出力信号と駆動部からの出力信号の波形を比較して波形が一致しているかどうかを検出する信号比較部と、信号比較部からの波形の一致、不一致の信号にもとづいてメダルの投入を判定する判定手段とを備えるものとした。
【発明の効果】
【０００７】
本発明により、判定手段が信号比較部からの波形の一致、不一致の信号にもとづいてメダルの投入を判定するので、センサによる光の遮断検出をＬＥＤなどの発光制御により不正に偽装した場合に、メダルの投入との誤判定を防止できる。
【発明を実施するための最良の形態】
【０００８】
以下本発明の実施の形態を実施例により説明する。
図１は第１の実施例にかかるメダル投入検出装置のブロック構成図である。
メダル投入検出装置１は、センサ３を構成する発光部３ａ、受光部３ｂと、センサ５を構成する発光部５ａ、受光部５ｂと、駆動部１３Ａ、１３Ｂと、光遮断検出部１５Ａ、１５Ｂと、信号比較部１７Ａ、１７Ｂと、判定部２１と、ゲート２３とから構成されている。
【０００９】
発光部３ａは、所定の波形で周期的に発光出力が変動するように本発明の第１の駆動部である駆動部１３Ａからの出力信号Ｓ０Ａによって駆動される。駆動部１３Ａからの出力信号Ｓ０Ａは、信号比較部１７Ａにも入力される。
受光部３ｂは、発光部３ａからの出力光を受光して光の強度に応じた出力信号Ｓ１Ａを光遮断検出部１５Ａと、信号比較部１７Ａに入力する。
【００１０】
光遮断検出部１５Ａは、出力信号Ｓ１Ａのレベルが所定の閾値を超えているかどうかを検出し、超えている場合はメダル不検出に相当する光非遮断の状態（ＯＦＦ）に対応するＬｏｗ信号を、超えていない場合はメダル検出に相当する光遮断の状態（ＯＮ）に対応するＨｉ信号を判定部２１に入力する。
信号比較部１７Ａは、出力信号Ｓ１Ａを出力信号Ｓ０Ａと比較し、両者の信号波形が一致しているかどうかを検出し、例えば一致しているときはＨｉ信号を、一致していないときはＬｏｗ信号をゲート２３に入力する。
【００１１】
同様に発光部５ａは、本発明の第２の駆動部である駆動部１３Ｂが出力する出力信号Ｓ０Ａと異なる波形、例えば異なる周期の出力信号Ｓ０Ｂによって周期的に変動して発光する。駆動部１３Ｂからの出力信号Ｓ０Ｂは、信号比較部１７Ｂにも入力される。
受光部５ｂは、発光部５ａからの出力光を受光して光の強度に応じた出力信号Ｓ１Ｂを光遮断検出部１５Ｂと、信号比較部１７Ｂに入力する。
【００１２】
図２は、本実施例におけるセンサの配置を示すメダル投入口近傍の筐体の側断面図である。図３は、図２におけるＸ−Ｘ断面を示す図である。
メダル投入検出装置１は、遊戯機などの筐体１０に設けられたメダル投入口２から投入されたメダルＭが滑動または落下し得るメダル通路７のメダルＭの幅広面と平行な側壁８（８ａ、８ｂ）にメダル検出用の第１と第２の２つのセンサ３、５を備えている。センサ３、５はメダルＭの矢印Ｙで示した通過方向と直角方向（図の上下方向）の両端部側に分けて設けられ、かつ、２つのセンサ３、５はメダルＭの通過方向に所定距離Ａだけずれて設けられている。
【００１３】
センサ３、５は、図３に示されるように、両方の側壁８ａ、８ｂを開口して対向して配置された発光部３ａと受光部３ｂ、発光部５ａと受光部５ｂとの組でそれぞれ構成されている。すなわち、発光部３ａの光を対向する受光部３ｂにより受光する、同様に発光部５ａの光を対向する受光部５ｂにより受光する。このように構成することにより、メダルＭが通過する際には発光部３ａ、５ａからの光が遮断されて受光部３ｂ、５ｂで検出することができず、メダルＭによって発光部３ａ、５ａからの光が遮断されていないときは光を検出することができるため、受光部３ｂ、５ｂにおいて光の検出信号を出力しているかいないかでメダルＭが通過しているか通過していないかを知ることができる。
【００１４】
メダルＭの直径は、たとえば２５ｍｍ程度あり、前述の発光部３ａ、５ａおよび受光部３ｂ、５ｂの大きさは直径が数ｍｍ程度あり、センサの中心部は側壁８の上下両端部から５〜１０ｍｍ程度の位置にその中心部がくるように設けられる。また、前記所定距離Ａは、メダルＭが矢印Ｙの方向に移動して、下流側のセンサ５の受光部５ｂがメダルＭにより光を遮断されはじめたとき、上流側のセンサ３の受光部３ｂもまだメダルＭにより光を遮断されている距離、例えば５ｍｍ以下とする。
【００１５】
光遮断検出部１５Ｂは、出力信号Ｓ１Ｂのレベルが所定の閾値を超えているかどうかを検出し、超えている場合は光非遮断の状態（ＯＦＦ）に対応するＬｏｗ信号を、超えていない場合は光遮断の状態（ＯＮ）に対応するＨｉ信号を判定部２１に入力する。
信号比較部１７Ｂは、出力信号Ｓ１Ｂを出力信号Ｓ０Ｂと比較し、両者の信号波形が一致しているかどうかを検出し、一致しているときはＨｉ信号を、一致していないときはＬｏｗ信号をゲート２３に入力する。
【００１６】
なお、光遮断検出部１５Ａ、１５Ｂには、例えば公知のコンパレータ回路を用いる。
また、信号比較部１７Ａは、例えば出力信号Ｓ０Ａを所定のゲイン調整と遅延時間調整を施した後に、波形比較器の基準入力端子に入力し、出力信号Ｓ１Ａを波形比較器の入力端子に入力する構成とする。波形比較器としては、公知の例えばＥＸ−ＯＲゲート応用型位相比較器やＲＳフリップフロップ応用型位相比較器などを用いることができる。
信号比較部１７Ｂも、出力信号Ｓ０Ｂと出力信号Ｓ１Ｂを波形比較器に同様に入力する構成とする。
【００１７】
判定部２１は、例えばマイコンで構成され、光遮断検出部１５Ａ、１５Ｂからの信号のＬｏｗ→Ｈｉ→Ｌｏｗの変化にもとづいて、メダルＭが正常な方向に移動して、所定の時間の光遮断をセンサ３、５に生じさせた場合に相当するかどうかを判定し、相当する場合はゲート２３に１パルスを出力する。
相当しない場合は、ゲート２３に出力せず、図示省略のエラー信号を出力する。
判定部２１は、メダルＭによる正常な光遮断時間をチェックするためのタイマ機能と、その判定基準の所定時間の設定値Ｔ１、Ｔ２（ここで、Ｔ１＜Ｔ２）を内蔵している。
なお、設定値Ｔ１は、センサ５において光遮断の状態になった後、メダルＭの正常な通過によってセンサ３が光非遮断の状態になるまでの、所定距離Ａに応じた分だけＴ２より小さい値である。
【００１８】
ゲート２３は、ＡＮＤゲート回路で構成され、判定部２１から出力を受けたとき、信号比較部１７Ａ、１７ＢからともにＨｉ信号を受けている場合は、判定部２１の出力を通過させて、メダル投入信号とする。判定部２１から出力を受けていないか、判定部２１から出力を受けていても信号比較部１７Ａ、１７Ｂのいずれか一方でもＬｏｗ信号の場合は、メダル投入信号を出力しない。
【００１９】
図４はメダル投入の判定の制御の流れを示すフローチャートである。
メダル投入検出装置１がオン状態になると、駆動部１３Ａ、１３Ｂはそれぞれ所定の周期の出力信号Ｓ０Ａ、Ｓ０Ｂを、対応する発光部３ａ、５ａに入力するとともに、信号比較部１７Ａ、１７Ｂにも入力する。
例えば、発光部３ａ、５ａの発光強度は、駆動部１３Ａ、１３Ｂによりプラスバイアスを掛けられた異なる周期のサイン波で変動している（図５の（ａ）参照）。
【００２０】
光遮断検出部１５Ａは受光部３ｂからの出力信号Ｓ１Ａを入力され、その信号レベルに応じてＬｏｗ信号またはＨｉ信号を出力している。
信号比較部１７Ａは、出力信号Ｓ１Ａを出力信号Ｓ０Ａと比較の結果のＨｉ信号またはＬｏｗ信号を出力している。
光遮断検出部１５Ｂ、信号比較部１７Ｂも同様に信号を出力している。
なお、以下のフローチャートのステップ１０１〜１０６、１０９の制御は、判定部２１で行い、ステップ１０７、１０８の制御はゲート２３で行う。
【００２１】
ステップ１０１では、判定部２１は、光遮断検出部１５ＡがＨｉ信号を出力した後、所定距離Ａに対応する所定のΔＴ秒以内に光遮断検出部１５ＢがＨｉ信号を出力したかどうかをチェックする。つまり、センサ３が光遮断の状態（ＯＮ）になった後、所定のΔＴ秒以内にセンサ５が光遮断の状態（ＯＮ）になったか（センサ３がＯＮ後、センサ５がＯＮか？）どうかをチェックする。
センサ３が光遮断の状態（ＯＮ）になった後、所定のΔＴ秒以内にセンサ５が光遮断の状態（ＯＮ）になった場合ステップ１０２へ進み、そうでない場合はステップ１０９へ進む。
ステップ１０２では、タイマｔの計時をスタートする。
【００２２】
ステップ１０３では、光遮断検出部１５Ａからの信号にもとづいてセンサ３が光非遮断の状態（ＯＦＦ）かそうでないかをチェックする。
光非遮断の状態の場合は、ステップ１０５へ進み、そうでない場合はステップ１０４へ進む。
ステップ１０４では、タイマｔが所定時間Ｔ１以上かどうかをチェックする。タイマｔが所定時間Ｔ１以上の場合は、メダルＭの通過に要する時間に相当する光遮断時間が長過ぎであり、異常としてステップ１０９へ進む。タイマｔが所定時間Ｔ１未満の場合は、ステップ１０３に戻り、光非遮断の状態かそうでないかのチェックを繰り返す。
【００２３】
ステップ１０３からステップ１０５に進んだ場合は、光遮断検出部１５Ｂからの信号にもとづいてセンサ５が光非遮断の状態（ＯＦＦ）かそうでないかをチェックする。
センサ５が光非遮断の状態の場合は、判定部２１からゲート２３に出力し、ステップ１０７へ進む。
センサ５が光非遮断の状態でない場合はステップ１０６へ進む。
ステップ１０６では、タイマｔが所定時間Ｔ２以上かどうかをチェックする。タイマｔが所定時間Ｔ２以上の場合は、メダルＭの通過に要する時間に相当する光遮断の時間が長過ぎであり、異常としてステップ１０９へ進む。タイマｔが所定時間Ｔ２未満の場合は、ステップ１０５に戻り、光非遮断の状態かそうでないかのチェックを繰り返す。
【００２４】
ステップ１０５からステップ１０７に進んだ場合は、ゲート２３は、信号波形が一致しているかどうかをチェックする。すなわち、信号比較部１７Ａ、１７ＢからともにＨｉ信号が入力されているかどうかをチェックする。
【００２５】
ステップ１０７における信号波形の一致、不一致を図５にもとづいて説明する。
図５は、センサ３、５それぞれの発光部３ａ、５ａの出力波形と、受光部３ｂ、５ｂの出力信号Ｓ１Ａ、Ｓ１Ｂの波形を示す。（ａ）はメダルＭが実際に通過した場合を示し、（ｂ）は不正にセンサ３、５の位置に発光部３ａ、５ａの光を遮るようにＬＥＤを挿入して、ＬＥＤの発光をオン、オフ制御した場合を示す。ＬＥＤオン、オフ制御はメダル通過時間にほぼ同調するように設定されたとしている。
【００２６】
図５の（ａ）では、波形比較の結果、受光部３ｂ、５ｂからの出力信号Ｓ１Ａ、Ｓ１Ｂの波形とも駆動部１３Ａ、１３Ｂの対応する出力信号Ｓ０Ａ、Ｓ０Ｂの波形と一致するのでゲート２３は開く。
そして、ステップ１０８で、判定部２１の出力を通過させてメダル投入信号として出力し、タイマ計時を停止してステップ１０１に戻る。
【００２７】
図５の（ｂ）では、波形比較の結果、出力信号Ｓ１Ａ、Ｓ１Ｂともそれぞれ出力信号Ｓ０Ａ、Ｓ０Ｂと一致しない。
いずれか一方でも波形が不一致の場合は、ゲート２３は開かないので、メダル投入信号を出力せずに、タイマ計時を停止してステップ１０１に戻る。
これにより、（ａ）の場合、メダル投入検出装置１を用いた遊戯機は、メダル投入の信号を受けた毎にメダル投入枚数を１ずつ加算する。
【００２８】
ステップ１０１、１０４、１０６からステップ１０９へ進んだ場合は、判定部２１は、エラー信号を出力し、タイマ計時を停止して、ステップ１０１に戻る。
本実施例では、フローチャートにおける上記ステップ１０１〜１０９の処理の実行にかかる光遮断検出部１５Ａ、１５Ｂ、判定部２１およびゲート２３が発明の判定手段を構成する。
【００２９】
以上のように本実施例によれば、受光部３ｂ、５ｂからの信号にもとづく所定時間の光遮断を検出の後、受光部３ｂからの出力信号Ｓ１Ａの波形が駆動部１３Ａからの出力信号Ｓ０Ａのそれと同じであり、かつ受光部５ｂからの出力信号Ｓ１Ｂの波形が駆動部１３Ｂからの出力信号Ｓ０Ｂのそれと同じであることを確認してから、メダル投入信号を出力するので、ＬＥＤを用いて不正にメダルの通過のように受光部３ｂ、５ｂからの出力信号における光遮断時間を偽装させても、メダル投入信号を出力しない。その結果不正を防止できる。
さらに、２つの駆動部１３Ａ、１３Ｂは異なる周期の出力信号Ｓ０Ａ、Ｓ０Ｂを出力しているので、ＬＥＤを利用した不正に対する強い抵抗力を備えている。
また、２つのセンサ３、５を接近して配置し、その光遮断の状態（ＯＮ）、光非遮断の状態（ＯＦＦ）の順序や光遮断時間を判定部２１においてチェックすることにより、逆方向のメダル移動（メダルに紐などを付けて引き戻した場合）、メダルの移動時間の掛かり過ぎは従来と同様にエラーとして検出できる。
【００３０】
なお、本実施例では駆動部１３Ａ、１３Ｂの出力信号Ｓ０Ａ、Ｓ０Ｂはプラスバイアスを掛けたサイン波の信号波形としたが、変形例として、図６のように矩形波の信号波形としてもよい。
この場合は、光遮断検出部１５Ａ、１５Ｂは省略して、判定部２１において所定の数以上の矩形パルスが連続して入力されないとき光遮断の状態（ＯＮ）とし、矩形パルスが所定の周期で入力されたときは光非遮断の状態（ＯＦＦ）と判定する。
図６は、センサ３、５それぞれの発光部３ａ、５ａの出力波形と、受光部３ｂ、５ｂの出力信号Ｓ１Ａ、Ｓ１Ｂの波形を示す。（ａ）はメダルＭが実際に通過した場合を示し、（ｂ）は不正にセンサ３、５の位置に発光部３ａ、５ａの光を遮るようにＬＥＤを挿入して、ＬＥＤの発光をオン、オフ制御した場合を示す。
このように発光部３ａ、５ａを矩形波形の所定周期で発光制御する場合でも、波形比較によりＬＥＤによるメダル投入偽装の不正防止ができる。
【００３１】
本実施例においては、光遮断検出部１５Ａ、１５Ｂをコンパレータ回路としたが、出力信号Ｓ１Ａ、Ｓ１Ｂをアナログ信号からデジタル信号に変換して、判定部２１を構成するマイコンにおいてその信号レベルを判定させるようにしてもよい。
また、判定部２１の出力をゲート２３で制御するものとしたが、ゲート２３の機能を判定部２１に含ませて、判定部２１で総合判断をしてメダル投入信号を出力させるようにしてもよい。
【００３２】
次に、図７は本発明の第２の実施例を示す。
本実施例のメダル投入検出装置１’は、図２に示した第１の実施例の構成から光遮断検出部１５Ａ、１５Ｂとゲート２３を省き、信号比較部１７Ａ、１７Ｂの出力を判定部２０へ入力するようにしたもので、その他の構成は同じである。
信号比較部１７Ａは、受光部３ｂからの出力信号Ｓ１Ａを駆動部１３Ａからの出力信号Ｓ０Ａと比較し、信号比較部１７Ｂは、受光部５ｂからの出力信号Ｓ１Ｂを駆動部１３Ｂからの出力信号Ｓ０Ｂと比較して、それぞれ一致しているときはＨｉ信号を、不一致のときはＬｏｗ信号を出力する。
【００３３】
センサ３の発光部３ａ、受光部３ｂ間、センサ５の発光部５ａ、受光部５ｂ間がメダルで遮断されていない間は、信号比較部１７Ａ、１７Ｂの各出力はＨｉ信号である。
メダルがセンサ３やセンサ５の位置を通過時に各発光部、受光部間を遮断すると、受光部３ｂからの出力信号Ｓ１Ａ、あるいは受光部５ｂからの出力信号Ｓ１Ｂの値はゼロとなるので、駆動部からの出力信号Ｓ０ＡあるいはＳ０Ｂと相違することになるから、信号比較部１７Ａ、１７ＢはＬｏｗ信号を出力する。
また、受光部３ｂや５ｂからの出力信号Ｓ１ＡやＳ１Ｂの値がゼロにならなくても波形が異なるときも信号比較部１７Ａ、１７ＢはＬｏｗ信号を出力する。
【００３４】
判定部２０はタイマ機能を備え、信号比較部１７Ａ、１７Ｂからの各Ｌｏｗ信号の長さを計測する。
判定部２０はさらにＬｏｗ信号の長さＴ０がメダルが通常センサ３、５を通過するに要する時間に所定の余裕を加えた時間Ｔ３とＬｏｗ信号の長さＴ０を比較する。
図８の（ａ）に示すように、Ｌｏｗ信号の長さＴ０（すなわち不一致の時間）がＴ３未満であるときは、判定部２０は当該Ｌｏｗ信号が正常なメダルの通過によるものと判断して、メダル投入信号を出力する。
一方、図８の（ｂ）に示すように、Ｌｏｗ信号の長さＴ０がＴ３以上になった場合には、判定部２０はメダル投入信号を出力しない。
なお、図８にはセンサ３側について示したが、センサ５側についても同様である。
本実施例では、上記Ｌｏｗ信号の長さの比較に基づいてメダル投入信号の出力を判断する判定部２０が発明の判定手段を構成している。
【００３５】
第２の実施例は以上のように構成され、これによっても、ＬＥＤを用いて不正にメダルの通過のように受光部３ｂ、５ｂからの出力信号における光遮断時間を偽装させても、メダル投入信号を出力しないから、不正を防止できる。
そして、第１の実施例に対して光遮断検出部やゲートを有しないので、不正防止のための構成がより簡単で安価に実現できるという利点を有する。
なお、波形はサイン波で説明したが、第１の実施例と同様に矩形波の場合にも同じく適用できる。
【００３６】
なお、各実施例では発光部３ａ、５ａに対してそれぞれ発光強度を変化させる駆動部１３Ａ、１３Ｂを設けたが、製造コスト低減のため一方は一定強度の発光とし、他方は変動発光させるとしてもよい。その場合、出力強度が変動する発光部に対応する受光部からの出力信号に対してのみ信号比較部を設ける。
また、製造コスト低減のための他の方法として、発光強度を変化させる１つの共通の駆動部により発光部３ａ、５ａを駆動してもよい。その場合、両方の受光部からの出力信号に対してそれぞれ信号比較部１７Ａ、１７Ｂを設けてもよいし、いずれか一方の受光部に対してのみ信号比較部を設けてもよい。
【図面の簡単な説明】
【００３７】
【図１】本発明の第１の実施例のブロック構成図である。
【図２】メダル投入検出装置のセンサの配置を示す図である。
【図３】図２のＸ−Ｘ断面図である。
【図４】メダル投入の判定の制御の流れを示すフローチャートである。
【図５】メダル検出用センサの発光部の出力波形と、受光部の出力波形を示す図である。
【図６】メダル検出用センサの発光部の出力波形と、受光部の出力波形を示す図である。
【図７】第２の実施例のブロック構成図である。
【図８】センサの発光部、受光部の出力波形と信号比較部の出力波形を示す図である。
【符号の説明】
【００３８】
１        メダル投入検出装置
２        メダル投入口
３、５    センサ
３ａ、５ａ    発光部
３ｂ、５ｂ    受光部
７        メダル通路
８、８ａ、８ｂ    側壁
１０      筐体
１３Ａ、１３Ｂ    駆動部
１５Ａ、１５Ｂ    光遮断検出部
１７Ａ、１７Ｂ    信号比較部
２０、２１    判定部
２３      ゲート
【図１】
2006271873.tif 000003
【図２】
2006271873.tif 000004
【図３】
2006271873.tif 000005
【図４】
2006271873.tif 000006
【図５】
2006271873.tif 000007
【図６】
2006271873.tif 000008
【図７】
2006271873.tif 000009
【図８】
2006271873.tif 000010